(57)【要約】【課題】  蓋部の開閉が、常時容易であって、開閉にあたり、強引な操作を必要とせず、損傷することが無く、しかも、安価に製造できる収納容器用蓋を提供する。【解決手段】  略板状部材の蓋（３）と、該蓋に固定された固定係止部材（５）と、付勢筒（６）と、コイルスプリング（７）と、により構成され、コイルスプリング（７）の一端が固定係止部材（５）に係止されるとともに、他端が付勢筒（６）に係止され、該付勢筒（６）の回転、あるいは該付勢筒（６）とリング状弾性部材（８）の回転により、蓋（３）の速度を制御してコイルスプリング（７）に、歪応力を発生させた状態で容器、あるいは収納部の開口に係止されていることを特徴とする。【選択図】  図３
0003109933.tif 000002
【実用新案登録請求の範囲】
【請求項１】
容器あるいは収納部の開口を覆う蓋であり、
辺部に貫通円筒孔である筒状部（３ａ）を形成された略板状部材の蓋（３）と、
受け座（５ａ）および係止突起（５ｂ）を形成された固定係止部材（５）と、
一端の内側に受け座（６ａ）および係止突起（６ｂ）を外側に付勢突起（６ｃ）を形成されるとともに蓋（３）の筒状部（３ａ）に挿入可能な筒状の付勢筒（６）と、
付勢筒（６）に挿入可能なコイルスプリング（７）と、により構成され、
固定係止部材（５）が蓋（３）の筒状部（３ａ）へ挿入して固定され、
コイルスプリング（７）を内挿された付勢筒（６）が蓋（３）の筒状部（３ａ）内へ回転可能に挿入され、
コイルスプリング（７）の一端が固定係止部材（５）の受け座（５ａ）に受止められ係止突起（５ｂ）に係止されるとともに他端が付勢筒（６）の受け座（６ａ）に受止められ係止突起（６ｂ）に係止され、
蓋（３）の筒状部（３ａ）内で付勢筒（６）を回転してコイルスプリング（７）に歪応力を発生させた状態で付勢筒（６）の付勢突起（６ｃ）が容器あるいは収納部の開口に係止されていることを特徴とする収納容器用蓋。
【請求項２】
前記蓋（３）の周辺部に係止凸部（３ｂ）が突出して形成され、
容器あるいは収納部の開口の対応する箇所に係止部材（４）が設けられ、
蓋（３）を閉じた状態で係止凸部（３ｂ）が係止部材（４）に係止可能に構成されていることを特徴とする請求項１に記載の収納容器用蓋。
【請求項３】
前記受け座（５ａ）および前記係止突起（５ｂ）を両側に形成された固定係止部材（５）が前記蓋（３）の筒状部（３ａ）の中間部へ挿入して固定され、
前記コイルスプリング（７）を内挿された前記付勢筒（６）が筒状部（３ａ）両側から挿入され、
両側の付勢筒（６）を同方向へ回転して、二本のコイルスプリング（７）に異なる弾力性を発生させた状態で係止されていることを特徴とする請求項１および２に記載の収納容器用蓋。
【請求項４】
前記付勢筒（６）の外周、および蓋（３）の筒状部（３ａ）の内周に、深さを週方向へ徐々に変化させてリング状溝（６ｄ）が形成され、リング状溝（６ｄ）にリング状弾性部材（８）が装着され、リング状弾性部材（８）が位置する蓋（３）の筒状部（３ａ）の内周に、リング状弾性部材（８）に係合する一部欠けた突起が形成されていることを特徴とする請求項１ないし３に記載の収納容器用蓋。
【請求項５】
容器が彫刻刀、筆記具等の文房具の収納容器である請求項１ないし４に記載の収納容器用蓋。
【請求項６】
容器がツールボックスである請求項１ないし４に記載の収納容器用蓋。
【請求項７】
収納部が自動車のコンソールボックスである請求項１ないし４に記載の収納容器用蓋。
【請求項８】
収納部が携帯用パソコンである請求項１ないし４に記載の収納容器用蓋。
【考案の詳細な説明】
【技術分野】
【０００１】
この考案は、文房具の収納容器、ツールボックス、自動車のコンソールボックス、携帯用パソコン等の収納容器あるいは収納部の開口を覆う収納容器用蓋に関し、特に、開閉を容易にする蓋に関する。
【背景技術】
【０００２】
文房具の収納容器の事例として、例えば工芸に使用される彫刻刀は、刃先形状の異なる複数本で構成され、これ等複数本の彫刻刀は、纏めて一つの収納容器に収納されて安全に保管され、携行されている。このような彫刻刀収納容器は、通常、容器部および蓋部により構成されている（特許文献１参照）。容器部に収納された彫刻刀は、保管時あるいは携行時には蓋で覆われて安全に保管あるいは携行され、使用時には蓋が外されて使用する彫刻刀が引出されている。
また、コンビニエンスストア等で販売されており、携帯できる蓋付きの灰皿は、蓋の開閉手段に、スプリングとオイルが使用されている。しかし、オイルは、塗布量、温度変化による性能のバラツキがあり、製造作業の手間により、製造コスト高となり、思わしいものではなかった。
【０００３】
特許文献１の［００１０］〜［００１５］および［図６］〜［図１１］において、彫刻刀収納容器（特許文献１の「収納ケース２」）は、容器部（同じく「ケース本体１０」）および蓋部（同じく「蓋部１１」）により構成されている。容器部の開口部両側面にはガイド片（同じく「ガイド片１３」）が延出して形成され、その幅方向の中央において長手方向にガイド孔（同じく「ガイド孔１４」）がガイド片を貫通して構成されている。
【０００４】
前記蓋部は前記容器部の開口部に嵌合する嵌合部（同じく「嵌合部１８」）と、嵌合部の両側面から延出して形成されたアーム部（同じく「アーム部１９」）とにより構成されている。さらに、アーム部には、先端部内側面に突出して軸（同じく「軸２２」）が形成されている。軸は前記ガイド片のガイド孔に嵌合され、アーム部すなわち蓋部がガイド孔に沿ってスライド可能に構成されている。
【０００５】
以上のように構成された彫刻刀収納容器は以下のように使用されている。まず、収納状態から彫刻刀を使用する場合は、嵌合部が容器部の開口部に嵌合している蓋部を容器部から引離す。この操作により、アーム部の軸がガイド片のガイド孔に沿ってスライドしながら蓋部が容器部から引離される。引離されてアーム部の軸がガイド孔の先端に達した時点で、蓋部は軸を中心として下方向へ回転可能となり、回転により蓋部が折れ曲がった状態となる。この操作により、容器部の開口部が開放され、収納されている彫刻刀が自由に取出し可能になる。また、折れ曲った蓋部を支持部として机上等に置くことにより、容器部の開口部が斜め上向きに開口することにより、彫刻刀の引出しが容易になる。
【０００６】
つぎに、使用後の彫刻刀を収納する場合は、取出された彫刻刀を容器部に収納し、軸を中心として蓋部を回転して折れ曲った状態の蓋部を容器部と直線状になるように戻し、軸をガイド孔に沿ってスライドさせながら蓋部を容器部へ押し戻し、嵌合部を開口部に嵌合させて蓋部で開口部を覆うことにより、収納状態となる。このような収納状態で、彫刻刀は安全に保管され、あるいは携行されている。
【特許文献１】実用新案登録代２５７６６９４号公報
【考案の開示】
【考案が解決しようとする課題】
【０００７】
従来の彫刻刀収納容器は以上のように構成されていたことにより、つぎのような課題が存在していた。すなわち、蓋部をスライドさせる場合に滑らかにスライドしない場合があった。彫刻刀収納容器のような製品は高価な精密加工製品ではない。従って、容器部の開口部両側面の延出部に構成されるスライド機構部において、スライド部材間には余裕のある適宜の隙間が設けられ、潤滑等の考慮は払われていない。このようなスライド機構部を両側に構成された彫刻刀収納容器において、蓋部を引離しあるいは押し戻しする際は、容器部と蓋部とを一直線状に配置するとともに、配置状態の直線状に操作する必要がある。  
【０００８】
しかし、安易な気持ちであるいは焦って蓋部を開閉しようとすると、スライド部材間の余裕により、容器部と蓋部とを直線状に配置されていない状態で操作したり、斜めに操作する場合が多々発生する。このような場合、蓋部の開閉に手間取ったり、滑らかでない状態で強引に操作して彫刻刀収納容器の一部を損傷する場合があった。
【０００９】
この考案は以上のような課題を解決するためになされたものであり、蓋部の開閉が、常時容易であり、強引な操作が行えず、損傷することの無い収納容器用蓋を提供することを目的とする。
【課題を解決するための手段】
【００１０】
この考案による収納容器用蓋は、辺部に貫通円筒孔である筒状部を形成された略板状部材の蓋と、受け座および係止突起を形成された固定係止部材と、一端の内側に受け座および係止突起を外側に付勢突起を形成されるとともに蓋の筒状部に挿入可能な筒状の付勢筒と、付勢筒に挿入可能なコイルスプリングと、により構成され、固定係止部材が蓋の筒状部へ挿入して固定され、コイルスプリングを内挿された付勢筒が蓋の筒状部内へ回転可能に挿入され、コイルスプリングの一端が固定係止部材の受け座に受止められ係止突起に係止されるとともに他端が付勢筒の受け座に受止められ係止突起に係止され、蓋の筒状部内で付勢筒を回転してコイルスプリングに歪応力を発生させた状態で付勢筒の付勢突起が容器あるいは収納部の開口に係止されていることを特徴とする。
【００１１】
詳細には、前記蓋の周辺部に係止凸部が突出して形成され、容器あるいは収納部の開口の対応する箇所に係止部材が設けられ、蓋を閉じた状態で係止凸部が係止部材に係止可能に構成されていることを特徴とする。
【００１２】
また、前記受け座および前記係止突起を両側に形成された固定係止部材が前記蓋の筒状部の中間部へ挿入して固定され、前記コイルスプリングを内挿された前記付勢筒が筒状部両側から挿入され、両側の付勢筒を相互に逆方向へ回転してコイルスプリングに歪応力を発生させた状態で係止されていることを特徴とする。
【００１３】
また、前記付勢筒の外周にリング状溝が形成され、該リング状溝に、週方向へ徐々に厚みを変化させたリング状弾性部材が装着され、リング状弾性部材が位置する蓋の筒状部の内周を深さを週方向に徐々に変化させて、回転の制御をするよう形成されていることを特徴とする。
【考案の効果】
【００１４】
この考案による収納容器用蓋は以上のように構成されていることにより、以下のような効果を得ることができる。すなわち、収納容器用蓋は、前記の略板状部材の蓋、固定係止部材、付勢筒および二本のコイルスプリングにより構成され、二本のコイルスプリングを用いことにより、回転方向にのみ捩じるため、一本でのコイルスプリングのように、片方にのみ歪みが発生し、蓋が変形するような事がない。また、弾性力を発生させた状態で係止されていることにより、蓋は回転により開閉が行われ、特に、開くときはコイルスプリングの弾性力により自動的に開くので、開閉が容易であり、無理な開閉操作を必要とせず、従来の油のように同じスピードで開閉することなく、また、作業のバラツキもなく、歪みを少なくし、そのため容器を安価に製造でき、しかも、容器および蓋の損傷の発生度合は極めて低くなった。
【００１５】
また、記蓋の周辺部に係止凸部が形成され、容器あるいは収納部の開口に係止部材が設けられ、蓋を閉じた状態で係止凸部が係止部材に係止可能に構成されていることにより、コイルスプリングの歪応力により開こうとするあるいは閉じようとする蓋を閉じた状態あるいは開いた状態に係止し、保持することができる。
【００１６】
また、２組のコイルスプリングを内挿された付勢筒が装着され、相互に逆方向へ回転してコイルスプリングに歪応力を発生させた状態で係止されていることにより、蓋が係止状態から開放された直後は、始めは遅く動き、途中は急速に動くが、徐々に速度が遅くなり、動作終了時の衝撃が緩和される。
【００１７】
また、付勢筒の外周に深さを週方向へ徐々に変化させてリング状溝が形成され、リング状溝にリング状弾性部材が装着され、リング状弾性部材が位置する蓋の筒状部の内周に深さを週方向に徐々に変化させてリング状溝が形成されており、対向するリング状溝の深さを適宜に組合せることにより、蓋が開いた状態に近づくにつれてリング状弾性部材が蓋の筒状部の内周に接触し始め、そのブレーキ作用により、ゆっくりと衝撃なく停止する。
【考案を実施するための最良の形態】
【００１８】
以下、図面とともにこの考案による収納容器用蓋の好適な実施の形態について、背景技術において説明した彫刻刀収納容器の事例により詳細に説明する。図１はこの考案による彫刻刀収納容器を示す斜視図、図２は図１の彫刻刀収納容器の側辺に沿って切断した側部断面図、図３は図１の蓋の一部を断面とした平面図である。
【００１９】
図１において、符号１で示すものは彫刻刀収納容器であり、彫刻刀収納容器（１）は、図示されていない前方面の開口部（２ｂ）から複数本（図１の実施例では５本）の彫刻刀を平行に並べて収納可能な厚みの薄い略箱状部材の容器（２）、容器（２）の開口部（２ｂ）の両側から前方へ延出して形成された支持部（２ａ）の間に容易に挿入配置されて容器（２）の開口部（２ｂ）を開閉可能に覆う蓋（３）、および容器（２）の支持部（２ａ）の元部に設けられて蓋（３）の側辺部を係止する係止部材（４）により構成されている。
【００２０】
図２および図３において、前記蓋（３）は略板状部材であり、前記支持部（２ａ）の先端部に位置する部分の全幅に貫通円筒孔である筒状部（３ａ）が形成され、支持部（２ａ）の元部に位置する部分の側辺部に係止凸部（３ｂ）が突出して形成され、元部の幅方向に停止凸部（３ｃ）が手前方向すなわち前記容器（２）の表面上へ延出するように形成されている。蓋（３）は筒状部（３ａ）が容器（２）の支持部（２ａ）の先端部間に支持され、筒状部（３ａ）の円筒軸を回転中心として図面に鉛直な軸の回りに回転可能に構成され、図２の（Ａ）は図１に示すように蓋（３）が閉じた状態を、（Ｂ）は蓋（３）が開いて容器（２）の開口端に当接した状態をそれぞれ示している。なお、係止凸部（３ｂ）は、蓋（３）の周辺部において、図３に示すように外周から外側へ突出して形成されてもよく、また下面から下方へ突出するように形成されてもよい。
【００２１】
図３において、前記蓋（３）の筒状部（３ａ）には、固定係止部材（５）が挿入し固定され、コイルスプリング（７）を内挿された筒状の付勢筒（６）により構成される付勢構成部材が筒状部（３ａ）内へ回転可能に挿入して装着されている。図３では、付勢構成部材が左右両側から装着されているが、一方からのみでもよい。
【００２２】
前記固定係止部材（５）は、前記コイルスプリング（７）の受け座（５ａ）およびコイルスプリング（７）より小径の短円筒または短円柱あるいは短円錐筒または短円錐台を十字に切欠いた係止突起（５ｂ）が前記筒状部（３ａ）の円筒軸直角断面上に形成されている。前記付勢筒（６）は、筒状部（３ａ）に収納可能な長さの筒状部材であり、一端（後端）において、内側にコイルスプリング（７）の受け座（６ａ）および固定係止部材（５）の係止突起（５ｂ）と同様の係止突起（６ｂ）、および外側に同様の付勢突起（６ｃ）が付勢筒（６）すなわち筒状部（３ａ）の円筒軸直角断面上に形成されている。
【００２３】
前記コイルスプリング（７）はその両端が略直角に内側へ折り曲げられている。従って、前記付勢筒（６）に内挿されたコイルスプリング（７）は、付勢筒（６）が前記筒状部（３ａ）に挿入された状態で、先端端部が前記固定係止部材（５）の受け座（５ａ）に支持されるとともにその折り曲げ部が前記係止突起（５ｂ）の何れかの溝に嵌り込んで係止され、後端端部が前記付勢筒（６）の受け座（６ａ）に支持されるとともにその折り曲げ部が前記係止突起（６ｂ）の何れかの溝に嵌り込んで係止される。
【００２４】
前記付勢構成部材を装着された前記蓋（３）は、図２に示す開いた状態（Ｂ）において、開く方向へ付勢して前記支持部（２ａ）の先端部間に装着され、あるいは装着後付勢され、付勢状態で前記付勢筒（６）の付勢突起（６ｃ）が支持部（２ａ）に係止される。なお、付勢操作は、付勢突起（６ｃ）に回転力を加えて前記付勢筒（６）を前記蓋（３）に対して相対的に回転して行われる。一端を蓋（３）に固定された前記固定係止部材（５）の係止突起（５ｂ）に係止されるとともに、他端を付勢筒（６）の係止突起（６ｂ）に係止された前記コイルスプリング（７）の両端間を歪ませ、歪応力を蓄積させることにより付勢される。
【００２５】
前記係止部材（４）は前記蓋（３）の係止凸部（３ｂ）を嵌め込み可能な溝を形成された部材により構成されている。係止部材（４）は、支持部（２ａ）の元部において、係止凸部（３ｂ）を嵌め込む位置と蓋（３）の側辺に対し直角方向あるいは平行方向の少なくとも係止凸部（３ｂ）の嵌め込み状態を解除可能な距離の位置とを往復移動可能に前記支持部（２ａ）に装着され、常時係止凸部（３ｂ）を嵌め込む位置にあるように付勢されている。
【００２６】
以上のように構成された彫刻刀収納容器（１）は以下のように使用される。まず、図２の開いた状態（Ｂ）の位置において開く方向（図の時計方向）に付勢されている。このように付勢された状態の蓋（３）を容器（２）の支持部（２ａ）の先端部間を回転中心として閉じる方向すなわち図２では閉じた状態（Ａ）の位置まで反時計方向へ人手により回転する。閉じた状態（Ａ）の位置において、蓋（３）は停止凸部（３ｃ）が容器（２）の外表面に当接し、回転を制限されて停止する。
【００２７】
この回転操作において、付勢筒（６）の付勢突起（６ｃ）が支持部（２ａ）に係止されてコイルスプリング（７）の後端端部は回転せず、筒状部（３ａ）内に固定された固定係止部材（５）が蓋（３）とともに回転してコイルスプリング（７）の先端端部が回転し、コイルスプリング（７）の両端間に歪応力が追加され、付勢力が増加する。蓋（３）が閉じた状態（Ａ）の位置に回転してくると同時に、係止凸部（３ｂ）は係止部材（４）の付勢力に逆らってあるいは部材を弾性変形させて係止部材（４）の溝に嵌め込まれる。その結果、蓋（３）はコイルスプリング（７）が追加された歪応力すなわち増加した付勢力を保持した状態で図２の閉じた状態（Ａ）の位置に保持され、容器（２）の開口部（２ｂ）を覆って閉じた状態となる。
【００２８】
つぎに、図２の閉じた状態（Ａ）において、人手により係止部材（４）を付勢力に抗して移動させる。蓋（３）の係止凸部（３ｂ）は係止部材（４）から分離して係止状態が開放され、コイルスプリング（７）の付勢力により、蓋（３）が自動的に開く方向へ、すなわち図２の開いた状態（Ｂ）の位置まで時計方向へ回転し、残余すなわち設定初期の付勢力により容器（２）の開口端に当接し、容器（２）の開口部（２ｂ）を開いた状態となる。
【００２９】
付勢構成部材については、図３に示すように、固定係止部材（５）の両側に受け座（５ａ）および係止突起（５ｂ）が形成されて蓋（３）の筒状部（３ａ）の中間部へ挿入して固定され、筒状部（３ａ）の両側からそれぞれ１組計２組の付勢構成部材を、回転するように付勢して装着する。このように２組の付勢構成部材を装着した場合、蓋（３）を開く際に、開放された直後は、ゆっくりと動き、その後早く動くが、開き角度が大きくなるに従って、一方の開く力が徐々に弱くなり、徐々に開く速度が遅くなり、動作終了時の衝撃が緩和される。
【００３０】
また、図４は前記付勢筒（６）の軸方向断面図であり、図４において、付勢筒（６）の外周にリング状溝（６ｄ）が形成されている。さらにこのリング状溝（６ｄ）は、深さを週方向へ徐々に変化させて形成されている。リング状溝（６ｄ）には、例えばＯリングのようなリング状弾性部材（８）が装着されている。他方、蓋（３）の筒状部（３ａ）において、付勢筒（６）の装着時にリング状弾性部材（８）の位置する内周に、深さを週方向に徐々に変化させてリング状溝が形成されている。
【００３１】
リング状弾性部材（８）を装着された付勢筒（６）は、蓋（３）の筒状部（３ａ）に挿入されて容器（２）の支持部（２ａ）に係止され、付勢筒（６）のリング状溝（６ｄ）の浅い箇所すなわちリング状弾性部材（８）の飛出しの高い箇所が、蓋（３）が閉じた状態で筒状部（３ａ）のリング状溝の深い箇所に位置し、蓋（３）が回転して開いた状態で筒状部（３ａ）のリング状溝の浅い箇所に位置するように装着する。
【００３２】
このように構成され装着された蓋３は、図２の閉じた状態（Ａ）から係止部材（４）を操作して開き始めた時点では、リング状弾性部材（８）の外周が蓋（３）の筒状部（３ａ）の内周に接触せず、コイルスプリング（７）の付勢力により当初はゆっくりと開き、中途より早く開く。蓋（３）が開いた状態（Ｂ）の位置に近づくにつれてリング状弾性部材（８）の外周が蓋（３）の筒状部（３ａ）の内周に接触し始め、徐々に接触の度合いが高くなり、そのブレーキ作用により、ゆっくりと衝撃なく停止する。
【００３３】
図１に示す彫刻刀を収納した状態の彫刻刀収納容器（１）から彫刻刀を取出して工芸を開始する場合は、係止部材（４）を操作することにより蓋（３）が自動的に開き、彫刻刀の出し入れが可能になる。また、図２の開いた状態（Ｂ）の蓋（３）の先端を支持部として机上等に置くことにより、容器（２）の開口部（２ｂ）が斜め上向きに開口し、彫刻刀の出し入れが容易になる。また、開いた状態（Ｂ）で蓋（３）に開く方向の付勢力が作用していることにより、蓋（３）が支持部として安定する。工芸を終了して容器（２）内に彫刻刀を収納した後は、図２の開いた状態（Ｂ）から閉じた状態（Ａ）へ、蓋（３）を回転して閉じ、係止凸部（３ｂ）を係止部材（４）へ係止させる。
【００３４】
以上の実施例において、蓋（３）の側辺部を係止する係止部材（４）が容器（２）の両側の支持部（２ａ）の元部に設けられた場合、蓋（３）の元部の幅方向の２箇所に停止凸部（３ｃ）に設けられた場合、付勢構成部材が両側から計２組装着されている場合を図示しているが、２組に限定されるものではなく、機能上１箇所あるいは１組で充分であれば、１箇所あるいは１組で構成されてもよい。
【００３５】
また、蓋（３）が常時閉じられており、必要な場合にのみ一時的に開くように使用される場合、コイルスプリング（７）は、常時蓋（３）が閉じる方向へ付勢される。
【００３６】
以上の背景技術および実施例では文房具の収納容器の事例を採り上げ、彫刻刀収納容器用蓋について説明したが、この考案による収納容器用蓋は、回転軸の周りに回転して開閉する蓋を構成部材とするその他の文房具の収納容器、ツールボックス、自動車のコンソールボックス、携帯用パソコン等の収納容器用蓋として採用可能なものである。
【図面の簡単な説明】
【００３７】
【図１】この考案による彫刻刀収納容器を示す斜視図である。
【図２】図１の彫刻刀収納容器において、蓋の側辺に沿って切断した場合を示す側部断面図であり、（Ａ）は蓋を閉じた状態を示し、（Ｂ）は蓋を開いた状態を示している。
【図３】図１の蓋において、一部を断面とした平面図である。
【図４】付勢筒の軸方向断面図である。
【符号の説明】
【００３８】
１      彫刻刀収納容器
２      容器
２ａ    支持部
２ｂ    開口部
３      蓋
３ａ    筒状部
３ｂ    係止凸部
３ｃ    停止凸部
４      係止部材
５      固定係止部材
５ａ    受け座
５ｂ    係止突起
６      付勢筒
６ａ    受け座
６ｂ    係止突起
６ｃ    付勢突起
７      コイルスプリング
８      リング状弾性部材
Ａ      閉じた状態
Ｂ      開いた状態
【図１】
0003109933.tif 000003
【図２】
0003109933.tif 000004
【図３】
0003109933.tif 000005
【図４】
0003109933.tif 000006